(57)【要約】【課題】第１コンタクト端子と第２コンタクト端子とが近接して配置されていても、第２カードの挿入に際して、第２カードの接触部と第１コンタクト端子との誤った接触を防ぐことができるカード用コネクタ装置の提供。【解決手段】第１カード１５と第２カード１６とが選択的に装着される所定の装着空間１ｂを有するハウジング１と、第１カード１５の接触部１５ｃに接触可能な凸部２ａを有する第１コンタクト端子２、及び第２カード１６の接触部１６ｂに接触可能な凸部３ａを有する第２コンタクト端子３とを備え、第１カード１５の挿入時には、第１カード１５の接触部１５ｃに第１コンタクト端子２の凸部２ａを接触させるとともに、第２カード１６の挿入時には、第１コンタクト端子２の凸部２ａを所定の装着空間１ｂ方向に突出させないように規制する規制手段、例えば回動可能な第１カム板１０を備えた構成にしてある。【選択図】図１
2008262739.tif 000002
【特許請求の範囲】
【請求項１】
第１カードと、この第１カードとは形状が異なる第２カードとが選択的に装着される所定の装着空間を有するハウジングと、
このハウジングに設けられ、上記第１カードの接触部に接触可能な第１コンタクト端子、及び第２カードの接触部に接触可能な第２コンタクト端子とを備え、
上記第１コンタクト端子を上記ハウジングの挿入口側に配置し、上記第２コンタクト端子を奥側に配置し、
上記第１カードの挿入時には、上記第１カードの接触部に上記第１コンタクト端子を接触させるとともに、上記第２カードの挿入時には、上記第１コンタクト端子を上記第２カードと接触しないようにする規制手段を備えたことを特徴とするカード用コネクタ装置。
【請求項２】
上記請求項１記載の発明において、
上記第２カードが上記第１カードよりも肉薄のカードから成り、
上記規制手段は、上記ハウジングに回動可能に設けられ、上記第１カードの接触部に接触可能な上記第１コンタクト端子の凸部に対向する位置に空隙部を有し、上記第１カードの挿入時には、上記第１カードの肉厚の形状に応じて回動して上記空隙部から上記第１コンタクト端子の凸部を突出させ、上記第１カードの接触部に上記第１コンタクト端子の凸部を接触可能とし、上記第２カードの挿入時には、この第２カードの肉薄の形状に応じてほとんど回動せず、上記第２カードと当接して上記第１コンタクト端子の凸部を上記第２カードの接触部に接触させないようにするカム板から成ることを特徴とするカード用コネクタ装置。
【請求項３】
上記請求項２記載の発明において、
上記カム板は、板部と、この板部の両側部のそれぞれに形成され、ハウジングに回動可能に保持される軸部とを含み、上記板部は、交互に凹凸形成される櫛歯状部を有し、上記空隙部を上記櫛歯状部に設けたことを特徴とするカード用コネクタ装置。
【請求項４】
上記請求項３記載の発明において、
上記カム板の上記軸部に係着され、上記カム板の上記板部を、上記ハウジングの上記所定の装着空間方向へ付勢する付勢部材を備えたことを特徴とするカード用コネクタ装置。
【請求項５】
上記請求項１〜４のいずれか１項記載の発明において、
上記第２カードが上記第１カードよりも幅狭のカードから成り、
上記第２カードの側方を案内するガイド部を有し、上記ハウジングの両側壁間に位置するカード挿抜経路上に配置され、上記第１カードの挿入に伴って押し下げられるガイド部材を備えたことを特徴とするカード用コネクタ装置。
【発明の詳細な説明】
【技術分野】
【０００１】
本発明は、形状の異なる複数のカードを選択的に装着可能な所定の装着空間を有するカード用コネクタ装置に関する。
【背景技術】
【０００２】
この種の従来技術として、例えば特許文献１に示されるものがある。この特許文献１には、形状が互いに異なる複数のカード、すなわち、短い第１カードと長い第２カードとが選択的に装着可能な所定の装着空間を有するハウジングと、このハウジングに、それぞれ所定の装着空間に突出するように設けられ、挿入された第１カードの先端部分の裏面に形成された接触部に接触可能な第１コンタクト端子、及び挿入された第２カードの先端部分の裏面に形成された接触部に接触可能な第２コンタクト端子とを備えた構成になっている。第１コンタクト端子はハウジングの挿入口側に配置され、第２コンタクト端子は第１コンタクト端子よりも奥側に配置されている。
【０００３】
このように構成される従来技術では、第１カードをハウジングに挿入し、この第１カードをハウジングの所定の装着空間内の装着位置に装着させると、第１カードの接触部と第１コンタクト端子とが接触し、第１カードに対する信号の送受信が可能となる。また、第２カードをハウジングに挿入し、この第２カードをハウジングの所定の装着空間内の装着位置に装着させる際には、所定の装着空間内に突出している第１コンタクト端子が、第２カードによってカード挿抜経路から離れるように押し下げられ、引き続いて行われる押し込みにより第２カードが所定の装着空間の装着位置に装着され、第２カードの接触部と第２コンタクト端子とが接触し、第２カードに対する信号の送受信が可能となる。
【特許文献１】特開２００３−３１２８４公報
【発明の開示】
【発明が解決しようとする課題】
【０００４】
上述した従来技術は、短い第１カードと長い第２カードとをハウジングの所定の装着空間の装着位置に選択的に装着可能にするものであるが、第１カードの接触部と接触可能な第１コンタクト端子、及び第２カードの接触部と接触可能な第２コンタクト端子のそれぞれを、ハウジングの所定の装着空間内に突出させるように配置してあることから、第１カードの長さと第２カードの長さがそれほど違わない場合には問題を生じる。
【０００５】
すなわち、挿入される第１カードと第２カードの長さがそれほど違わない場合には、装置の手前側、すなわち挿入口側に配置される第１コンタクト端子と、装置の奥側に配置される第２コンタクト端子とを近接させて設けることになる。しかし、このように第１コンタクト端子と第２コンタクト端子とを近接させて設けると、第２カードの挿入時に、所定の装着空間内に突出している第１コンタクト端子がこの第２カードの接触部に誤って接触して電気的不良を生じる虞がある。
【０００６】
また、第２カードの挿入時に、この第２カードの先端部が所定の装着空間内に突出している第１コンタクト端子に係合し、これによって第１コンタクト端子が座屈する虞もある。
【０００７】
本発明は、上述した従来技術における実状からなされたもので、その目的は、第１コンタクト端子と第２コンタクト端子とが近接して配置されていても、装置の奥側に配置される第２コンタクト端子と接触可能な第２カードの挿入に際して、第２カードの接触部と挿入口側に配置される第１コンタクト端子との誤った接触を防ぐことができ、また、挿入された第２カードの先端部と第１コンタクト端子との係合を防ぐことができるカード用コネクタ装置を提供することにある。
【課題を解決するための手段】
【０００８】
上記目的を達成するために、本発明は、第１カードと、この第１カードとは形状が異なる第２カードとが選択的に装着される所定の装着空間を有するハウジングと、このハウジングに設けられ、上記第１カードの接触部に接触可能な第１コンタクト端子、及び第２カードの接触部に接触可能な第２コンタクト端子とを備え、上記第１コンタクト端子を上記ハウジングの挿入口側に配置し、上記第２コンタクト端子を奥側に配置し、上記第１カードの挿入時には、上記第１カードの接触部に上記第１コンタクト端子を接触させるとともに、上記第２カードの挿入時には、上記第１コンタクト端子を上記第２カードと接触しないようにする規制手段を備えたことを特徴としている。
【０００９】
このように構成した本発明は、第１カードがハウジングに挿入され、この第１カードをハウジングの所定の装着空間の装着位置に装着させる際には、規制手段による規制を受けることなく、第１カードの接触部と挿入口側に配置される第１コンタクト端子とを接触させ、第１カードに対する信号の送受信が可能となる。また、第２カードがハウジングに挿入された際には、規制手段によって第１コンタクト端子が第２カードと接触しないように第２カードと第１コンタクト端子の位置関係が規制されているので、第１コンタクト端子と第２コンタクト端子とが近接して配置されていても、第２カードの接触部と第１コンタクト端子との誤った接触を防ぐことができ、このような第２カードの接触部と第１コンタクト端子との接触による電気的不良の発生を防止できる。また、上述の規制手段により第２カードの先端部と第１コンタクト端子との係合も防ぐことができ、このような第２カードの先端部と第１コンタクト端子との係合による第１コンタクト端子の座屈の発生を防止できる。
【００１０】
また、本発明は上記発明において、上記第２カードが上記第１カードよりも肉薄のカードから成り、上記規制手段は、上記ハウジングに回動可能に設けられ、上記第１カードの接触部に接触可能な上記第１コンタクト端子の凸部に対向する位置に空隙部を有し、上記第１カードの挿入時には、上記第１カードの肉厚の形状に応じて回動して上記空隙部から上記第１コンタクト端子の凸部を突出させ、上記第１カードの接触部に上記第１コンタクト端子の凸部を接触可能とし、上記第２カードの挿入時には、この第２カードの肉薄の形状に応じてほとんど回動せず、上記第２カードと当接して上記第１コンタクト端子の凸部を上記第２カードの接触部に接触させないようにするカム板から成ることを特徴としている。
【００１１】
このように構成した本発明は、第２カードの挿入時には、この第２カードの肉薄の形状に応じてカム板をほとんど回動させることなく、第２カードと当接するカム板によって第１コンタクト端子の凸部を第２カードの接触部に接触させないように保たせた状態で、第２カードを所定の装着空間まで挿入させ、第２カードの接触部を第１カードの接触部に誤って接触させることなく、第２コンタクト端子に接触させることができる。
【００１２】
また、第１カードの挿入時には、この第１カードの肉厚の形状に応じてカム板を回動させ、このカム板の空隙部から第１コンタクト端子の凸部を所定の装着空間方向に突出させ、この所定の装着空間において第１カードの接触部と第１コンタクト端子の凸部とを接触させることができる。
【００１３】
また、本発明は上記発明において、上記カム板は、板部と、この板部の両側部のそれぞれに形成され、ハウジングに回動可能に保持される軸部とを含み、上記板部は、交互に凹凸形成される櫛歯状部を有し、上記空隙部を上記櫛歯状部に設けたことを特徴としている。
【００１４】
このように構成した本発明は、第２カードの挿入時には、板部の凹凸部分から成る櫛歯状部に設けられる空隙部に対向する位置に第１コンタクト端子の凸部が配置されることによって、この第１コンタクト端子の凸部を所定の装着空間内に突出しないようにして第２カードの接触部と第１カードの接触部との誤った接触を生じさせることなく、第２カードの接触部を第２コンタクト端子に接触させることができる。また、第１カードの挿入時には、この第１カードの肉厚の形状に応じて板部をその軸部の軸心回りに回動させて、この板部の櫛歯状部の空隙部から第１コンタクト端子の凸部を所定の装着空間方向に突出させ、第１カードの接触部と第１コンタクト端子の凸部とを接触させることができる。
【００１５】
また、本発明は上記発明において、上記カム板の上記軸部に係着され、上記カム板の上記板部を、上記ハウジングの上記所定の装着空間方向へ付勢する付勢部材を備えたことを特徴としている。
【００１６】
このように構成した本発明は、第１カードの挿入時には、この第１カードの形状に応じてカム板の板部を軸部に係着された付勢部材の付勢力に抗して回動させて、第１カードの接触部と第１コンタクト端子の凸部とを接触させることができる。また、第１カードが取り出された際には、付勢部材の付勢力によってカム板の板部を上述の回動方向とは逆方向に回動させ、第１コンタクト端子の凸部を板部の櫛歯状部に形成された空隙部から突出させないような初期位置に復帰させることができる。
【００１７】
また、本発明は上記発明において、上記第２カードが上記第１カードよりも幅狭のカードから成り、上記第２カードの側方を案内するガイド部を有し、上記ハウジングの両側壁間に位置するカード挿抜経路上に配置され、上記第１カードの挿入に伴って押し下げられるガイド部材を備えたことを特徴としている。
【００１８】
このように構成した本発明は、ガイド部材のガイド部によって幅狭の第２カードの側方を案内し、挿入された第２カードの所定の装着空間の装着位置方向への移動、及び所定の装着空間の装着位置に装着された第２カードの排出方向への移動を円滑に行なわせることができる。また、第１カードが挿入されたときには、ガイド部材が押し下げられることにより、このガイド部材による第１カードの移動に対する規制を除くことができる。また、ガイド部材は、ハウジングの両側壁間に位置するカード挿抜経路上に配置されており、したがって、ハウジングの幅方向に進退する部材を設けることなく幅狭のカードである第２カードを案内できる。
【発明の効果】
【００１９】
本発明は、第１カードの挿入時には、第１カードの接触部に第１コンタクト端子を接触させるとともに、第２カードの挿入時には、第１コンタクト端子を第２カードに接触させないように第２カードと第１コンタクト端子の位置関係を規制する規制手段を備えたことから、第１コンタクト端子と第２コンタクト端子とが近接して配置されていても、装置の奥側に配置される第２コンタクト端子と接触可能な第２カードの挿入に際して、この第２カードの接触部と挿入口側に配置される第１コンタクト端子との誤った接触を防ぐことができ、このような第２カードの接触部と第１コンタクト端子との接触による電気的不良の発生を防止できる。また、規制手段により第２カードの先端部と第１コンタクト端子との係合も防ぐことができ、このような第２カードの先端部と第１コンタクト端子との係合による第１コンタクト端子の座屈の発生を防止できる。これらにより、挿入される第１カードと第２カードの長さがそれ程違わない場合であっても、電気的に、また構造的に高い信頼性を確保できるカード用コネクタ装置を実現できる。
【発明を実施するための最良の形態】
【００２０】
以下，本発明に係るカード用コネクタ装置を実施するための最良の形態を図に基づいて説明する。
【００２１】
［本実施形態の構成］
図１は本発明に係るカード用コネクタ装置の一実施形態においてカバー部材を取り除いた状態を示す図で、（ａ）図は平面図、（ｂ）図は（ａ）図のＡ−Ａ断面図、（ｃ）図は（ａ）図のＢ−Ｂ断面図、図２は本実施形態に備えられる第１カム板を示す図で、（ａ）図は平面図、（ｂ）図は正面図、（ｃ）図は左側面図、（ｄ）図は右側面図、（ｅ）図は背面図、図３は本実施形態に備えられるガイド部材を示す図で、（ａ）図は平面図、（ｂ）図は正面図、（ｃ）図は左側面図、（ｄ）図は右側面図、（ｅ）図は背面図である。
【００２２】
本実施形態に係るカード用コネクタ装置は、図１に示すように、後述の第１カード１５と、この第１カード１５とは形状が異なる後述の第２カード１６とが選択的に挿入される挿入口１ａ、及び第１カード１５、第２カード１６が選択的に装着され、これらの第１カード１５、第２カード１６に対する信号の送受信が可能な所定の装着空間１ｂを有し、合成樹脂等の絶縁材から成るハウジング１を備えている。このハウジング１には、挿入口１ａ側に配置され、後述の第１カード１５の接触部１５ｃに接触可能な導電性金属材から成る複数の第１コンタクト端子２と、奥側に配置され、後述の第２カード１６の接触部１６ｂに接触可能な導電性金属材から成る複数の第２コンタクト端子３とが、それぞれインサート成形により埋設されている。これらの第１コンタクト端子２と第２コンタクト端子３とは、第１カード１５と第２カード１６の互いにそれ程違わない長さ寸法に応じて、例えば互いに近接させて配置させてある。なお、第１カード１５は幅広かつ肉厚に形成され、第２カード１６は第１カード１５よりも幅狭かつ肉薄に形成されている。また、第１カード１５は第２カード１６よりも長さがわずかに短く形成されている。
【００２３】
また、本実施形態は、カード挿抜方向に摺動可能にハウジング１に設けられるスライド部材４を備えている。このスライド部材４は、後述の第１カード１５の先端部が係合可能な第１係合部４ａと、この第１係合部４ａよりも奥側に形成され、後述の第２カード１６の先端部が係合可能な第２係合部４ｂとを備えている。このスライド部材４は、一端をハウジング１に係着され、他端をスライド部材４に係着される付勢部材５によってカード排出方向に付勢されている。
【００２４】
また本実施形態は、第１カード１５または第２カード１６がハウジング１の所定の装着空間１ｂに保持されるようにスライド部材４をロックするロック機構を備えている。このロック機構は、スライド部材４に形成され、往路６ａ、復路６ｂ、及びロック部６ｃを有するハートカム６と、一端７ａがハウジング７に揺動可能に取り付けられ、他端７ｂにハートカム６の往路６ａ、復路６ｂ、ロック部６ｃに係合可能な摺動ピンを有する摺動部材７とから成っている。
【００２５】
上述したスライド部材４の一方の側壁部分には、凸部８ａを有する第１板ばね８をインサート成形によって埋設させてあり、スライド部材４の他方の側壁部分には、凸部９ａを有する第２板ばね９をインサート成形によって埋設させてある。
【００２６】
また本実施形態は、図１，３に示すように、第１カード１５よりも幅狭の第２カード１６の一方の側方を案内するガイド部２１ｂ２を有し、ハウジング１の両側壁間に位置するカード挿抜経路上に配置され、幅広の第１カード１５の挿入に伴って押し下げられるガイド部材２１を備えている。
【００２７】
すなわち、図１に示すハウジング１の挿入口１ａの図示左側の側壁部分にガイド部材２１を配置してあり、このガイド部材２１は図３に示すように、ハウジング１に取り付けられカード挿抜方向に延設されるとともに、その軸心回りに回動可能な軸部２１ａと、この軸部２１ａに一体に設けられ、テーパ部２１ｂ１が形成されるとともに、その側部に上述した第２カード１６の側方を案内するガイド部２１ｂ２が形成される作動部２１ｂとから成っている。このガイド部材２１の軸部２１ａは、ハウジング１にインサート成形された図示しない付勢部材によって保持されている。
【００２８】
このガイド部材２１の作動部２１ｂには、ハウジング１の挿入口１ａ側に、上述のようにテーパ部２１ｂ１を形成してあるが、このテーパ部２１ｂ１は、ハウジング１の挿入口１ａに正対する図３の（ａ）図に示す仮想面３０よりもガイド部２１ｂ２側に寄るように、仮想面３０に対して傾けた面３１に含まれる偏倚面から成っている。
【００２９】
また本実施形態は特に、後述の第１カード１５の挿入時には、第１カード１５の接触部１５ｃに第１コンタクト端子２を接触させるとともに、第２カード１６の挿入時には、第１コンタクト端子２を第２カード１６と接触させないようにする規制手段を備えている。
【００３０】
この規制手段は、例えばハウジング１の所定の装着空間１ｂ内の挿入口１ａ側に配置され、図２にも示す第１カム板１０から成っている。この第１カム板１０は、後述の第１カード１５の接触部１５ｃに接触可能な第１コンタクト端子２の凸部２ａに対応する位置に空隙部１０ａ１を有し、第１カード１５の挿入時には、第１カード１５の肉厚の形状に応じて回動し、第１コンタクト端子２の凸部２ａを第１カム板１０の空隙部１０ａ１から所定の装着空間１ｂ方向に突出させて、第１カード１５の接触部１５ｃに第１コンタクト端子２の凸部２ａを接触可能とし、第２カード１６の挿入時には、この第２カード１６の肉薄の形状に応じてほとんど回動せず、第２カード１６と当接して第１コンタクト端子２の凸部２ａを第２カード１６に接触させないように、第１コンタクト端子２の凸部２ａを第２カード１６から離間した状態に保持するものから成っている。すなわち、第１カム板１０は回動するか否かで、第１コンタクト端子２の所定の装着空間１ｂ方向への突出状態を決めるものとなっており、所定の装着空間１ｂ方向へ突出させないときには、第１コンタクト端子２を第２カード１６から離れた状態に保持するようになっている。
【００３１】
第１カム板１０は、図２に示すように、板部１０ａと、この板部１０ａの両側部のそれぞれに形成されハウジング１に回動可能に保持される軸部１０ｂとを含み、板部１０ａは交互に凹凸形成される櫛歯状部１０ａ２を有しており、この櫛歯状部１０ａ２に上述した空隙部１０ａ１を設けてある。
【００３２】
また図示しないが、本実施形態は例えばハウジング１にインサート成形され、第１カム板１０の軸部１０ｂのそれぞれに係着され、第１カム板１０をハウジング１の所定の装着空間１ｂ方向へ付勢する付勢部材も備えている。
【００３３】
ハウジング１の所定の装着空間１ｂの奥側には、図１に示すように第１カム板１０に併設させて、回動可能な第２カム板１１を設けてある。この第２カム板１１は、第２カード１６の接触部１６ｂと接触可能な第２コンタクト端子３の凸部３ａのそれぞれをハウジング１の所定の装着空間１ｂに突出させる窓部１１ａを有している。この第２カム板１１は、肉厚の第１カード１５の挿入に伴って、この第１カード１５によって押し下げられるようになっている。
【００３４】
［第１カードの挿入動作］
図４〜６は本実施形態の動作を示す説明図で、図４は第１カードが本実施形態に挿入される直前の状態を示す平面図、図５は第１カードがスライド部材に装着された状態を示す平面図、図６は第１カードがハウジングの所定の装着空間に装着された状態を示し、（ａ）図は平面図、（ｂ）図は（ａ）図のＣ−Ｃ断面図である。
【００３５】
上述のように構成した本実施形態に、図４に示す幅広かつ肉厚の第１カード１５が挿入される際の動作について以下に説明する。
【００３６】
第１カード１５が挿入される前における本実施形態は、付勢部材５によってスライド部材４がカード排出位置に保持されている。カム機構を構成する摺動部材７の他端７ｂに設けられる摺動ピンは、スライド部材４に形成されたハートカム６の往路６ａの基端部に位置している。ガイド部材２１は、図示しない付勢部材によって所定の装着空間１ｂ方向に付勢されている。第１カム板１０は、図示しない付勢部材によって挿入口１ａ側に配置されている第１コンタクト端子２の凸部２ａをその空隙部１０ａ１から所定の装着空間１ｂ内に突出させないように所定の装着空間１ｂ方向に付勢されている。第２カム板１１はその窓部１１ａから、奥側に配置される第２コンタクト端子３の凸部３ａが所定の装着空間１ｂ方向に突出するように保持されている。
【００３７】
このような待機状態に保持される本実施形態のハウジング１の挿入口１ａから第１カード１５が挿入されると、図５に示すように、第１カード１５の先端部がスライド部材４の第１係合部４ａに係合し、スライド部材４に設けられた第１板ばね８の凸部８ａが第１カード１５の凹部１５ａに嵌入し、第２板ばね９の凸部９ａが第１カード１５の凹部１５ｂに嵌入する。これによって、第１カード１５はスライド部材４に保持される。
【００３８】
なお、この間、第１カード１５がハウジング１の挿入口１ａから挿入された際、第１カード１５の先端部がガイド部材２１の図３に示す作動部２１ｂのテーパ部２１ｂ１に係合し、この第１カード１５の先端部によってガイド部材２１が押圧され、このガイド部材２１の作動部２１ｂ及び軸部２１ａが、ハウジング１にインサート成形した図示しない付勢部材の付勢力に抗して軸部２１ａの軸心回りに回動して押し下げられ、第１カード１５を円滑に挿入させることができる。
【００３９】
また、この肉厚の第１カード１５の挿入に伴って、第１カム板１０が図示しない付勢部材の付勢力に抗して図２に示す軸部１０ｂの軸心回りに回動し、板部１０ａが押し下げられる。これによって板部１０ａの櫛歯状部１０ａ２に設けられた空隙部１０ａ１から、第１コンタクト端子２の凸部２ａが所定の装着空間１ｂ方向に突出する状態となる。
【００４０】
このような状態から第１カード１５をさらに押し込むと、第１カード１５とともに、この第１カード１５が係合するスライド部材４が付勢部材５の付勢力に抗して摺動し、図６に示すように、所定の装着空間１ｂ内の装着位置まで移動する。この間、スライド部材４の摺動に伴ってハートカム６の往路６ａ上を摺動部材７の他端７ｂの摺動ピンが相対的に摺動し、ロック部６ｃに係止される。これによって、スライド部材４が所定の装着空間１ｂ内の装着位置でロックされる。また、図６の（ｂ）図に示すように、第１カード１５の先端部によって第２カム板１１が押し下げられ、これに伴って凸部３ａを含む第２コンタクト端子３が押し下げられる。
【００４１】
このようにして第１カード１５がハウジング１の所定の装着空間１ｂ内の装着位置に装着されると、図６の（ｂ）図に示すように、第１カード１５の裏面に形成された接触部１５ｃが第１コンタクト端子２の凸部２ａと接触し、この第１カード１５に対する信号の送受信が可能となる。
【００４２】
所定の装着空間１ｂ内の装着位置に装着されている第１カード１５を排出させるには、再び第１カード１５を押し込む操作が行われる。いわゆるプッシュ・プッシュ操作が実施される。これにより、ロック機構を構成する摺動部材７の摺動ピンと、ハートカム６のロック部６ｃとの係合が解かれ、付勢部材５の付勢力によってスライド部材４は挿入口１ａ方向に排出され、図５と同様の状態となる。この間、スライド部材４の第１係合部４ａを介して第１カード１５が押し出され、第１カード１５の接触部１５ｃと第１コンタクト端子２の凸部２ａとの接触が解除されるとともに、第２カム板１１が初期位置に復帰する。また、ロック機構の摺動部材７の摺動ピンがハートカム６の往路６ｂ上を相対的に摺動し、往路６ａの基端部に至る。
【００４３】
このようにスライド部材４がカード排出位置まで戻された状態において、第１カード１５を把持して引き抜くと、第１カード１５の凹部１５ａと、第１板ばね８の凸部８ａとの係合、第１カード１５の凹部１５ｂと第２板ばね９の凸部９ａとの係合がそれぞれ解かれ、第１カード１５を本実施形態に係るカード用コネクタ装置から取り出すことができる。また、このように第１カード１５が取り出されると、第１カム板１０は図示しない付勢部材の付勢力によって初期位置に復帰する。すなわち、第１コンタクト端子２の凸部２ａをその空隙部１０ａ１から所定の装着空間１ｂ内に突出させないように第１コンタクト端子２を保持する位置に復帰する。
【００４４】
［第２カードの挿入動作］
図７〜９は本実施形態の動作を示す説明図で、図７は第２カードが本実施形態に挿入される直前の状態を示す平面図、図８は第２カードがスライド部材に装着された状態を示し、（ａ）図は平面図、（ｂ）図は（ａ）図のＤ−Ｄ断面図、（ｃ）図は（ａ）図のＥ−Ｅ断面図、図９は第２カードがハウジングの所定の装着空間に装着された状態を示し、（ａ）図は平面図、（ｂ）図は（ａ）図のＦ−Ｆ断面図、（ｃ）図は（ａ）図のＧ−Ｇ断面図である。
【００４５】
上述のように構成した本実施形態に、図７に示す第１カード１５よりも幅狭かつ肉薄の第２カード１６が挿入される際の動作について以下に説明する。第２カード１６が挿入される前における本実施形態の待機状態については上述のとおりである。
【００４６】
図７に示すように待機状態に保持されている本実施形態のハウジング１の挿入口１ａから第２カード１６が挿入されると、図８に示すように、第２カード１６の先端部がスライド部材４の第２係合部４ｂに係合し、スライド部材４に設けられた第２板ばね９の凸部９ａが第２カード１６の凹部１６ａに嵌入する。これによって第２カード１６はスライド部材４に保持される。
【００４７】
なお、この間、第２カード１６がハウジング１の挿入口１ａから挿入された際、この第２カード１６の一方の側方が、すなわち図示左側面が、図３の（ａ）（ｄ）図に示すガイド部材２１の作動部２１ｂのガイド部２１ｂ２によって案内される。これによって第２カード１６を円滑に挿入させることができる。
【００４８】
また、この第１カード１５よりも肉薄の第２カード１６の挿入に伴って、図８の（ｂ）図に示すように、第１カム板１０はほとんど回動しない状態に保たれる。すなわち第１カム板１０は、第１コンタクト端子２の凸部２ａをその空隙部１０ａ１から所定の装着空間１ｂ方向に突出させない位置に保たれる。これによって、第１カム板１０により第１コンタクト端子２の凸部２ａが第２カード１６から離間した状態になり、第２カード１６が第１コンタクト端子２と接触することを防ぐことができる。
【００４９】
このような状態から第２カード１６をさらに押し込むと、第２カード１６とともに、この第２カード１６が係合するスライド部材４が付勢部材５の付勢力に抗して摺動し、図９に示すように所定の装着空間１ｂ内の装着位置まで移動する。この間、上述と同様にロック機構が作動し、このロック機構によってスライド部材４が所定の装着空間１ｂ内の装着位置でロックされる。
【００５０】
このようにして第２カード１６が所定の装着空間１ｂ内の装着位置に装着されると、図９の（ｂ）図に示すように、第２カード１６の裏面に形成された接触部１６ｂが第２コンタクト端子３の凸部３ａと接触し、この第２カード１６に対する信号の送受信が可能となる。
【００５１】
所定の装着空間１ｂ内の装着位置に装着されている第２カード１６を排出させる際には、再び第２カード１６を押し込む操作が行われる。これにより、上述したようにスライド部材４のロックが解除され、付勢部材５の付勢力によってスライド部材４が挿入口１ａ方向に排出され、これと一体的に第２カード１６が押し出される。
【００５２】
このようにスライド部材４がカード排出位置まで戻された状態において、第２カード１６を把持して引き抜くと、第２カード１６の凹部１６ａと、第２板ばね９の凸部９ａとの係合が解かれ、第２カード１６を本実施形態に係るカード用コネクタ装置から取り出すことができる。この間、ガイド部材２１の作動部２１ｂのガイド部２１ｂ２によって第２カード１６の一方の側方が案内されることにより、第２カード１６を円滑に取り出すことができる。
【００５３】
［本実施形態の効果］
上述のように構成した本実施形態によれば、幅広かつ肉厚の第１カード１５がハウジング１に挿入され、この第１カード１５をハウジング１の所定の装着空間１ｂ内の装着位置に装着させた状態では、規制手段を構成する第１カム板１０による規制を受けることなく、この第１カム板１０を回動させ、第１コンタクト端子２の凸部２ａを、第１カム板１０の櫛歯状部１０ａ２に形成された空隙部１０ａ１から所定の装着空間１ｂ方向に突出させて、第１カード１５の接触部１５ｃと第１コンタクト端子２の凸部２ａとを接触させ、これによって第１カード１５に対する信号の送受信が可能となる。また、第１カード１５よりも幅狭かつ肉薄の第２カード１６がハウジング１に挿入された際には、規制部材を構成する第１カム板１０によって、第１コンタクト端子２の凸部２ａをその空隙部１０ａ１から所定の装着空間１ｂ方向に突出させないように規制するので、本実施形態におけるように第１コンタクト端子２と第２コンタクト端子３とが近接して配置されていても、第２カード１６の接触部１６ｂと第１コンタクト端子２の凸部２ａとの誤った接触を防ぐことができる。したがって、このような第２カード１６の接触部１６ｂと第１コンタクト端子２の凸部２ａとの接触による電気的不良の発生を防止できる。
【００５４】
また、規制手段すなわち第１カム板１０によって、挿入された第１カード１５よりも薄肉の第２カード１６の先端部と第１コンタクト端子２の凸部２ａとの係合も防ぐことができ、このような第２カード１６の先端部と第１コンタクト端子２の凸部２ａとの係合による第１コンタクト端子２の座屈の発生を防止できる。
【００５５】
これらにより、本実施形態は、挿入される第１カード１５と第２カード１６の長さがそれ程違わない場合であっても、電気的に、また構造的に高い信頼性を確保できるカード用コネクタ装置を実現できる。
【００５６】
また、規制手段を構成する第１カム板１０は、空隙部１０ａ１を形成する櫛歯状部１０ａ２を有する板部１０ａと、この板部１０ａと一体に設けられる軸部１０ｂを含む比較的簡単な構成であるので、製作が容易であり、実用性に富む。
【００５７】
また、本実施形態は、第１カード１５よりも幅狭かつ肉薄の第２カード１６の側方を案内するガイド部２１ｂを有し、ハウジング１の両壁面内に位置するカード挿抜経路上に配置され、幅広かつ肉厚の第１カード１５の挿入に伴って押し下げられるガイド部材２１を備えたことから、ガイド部材２１のガイド部２１ｂによって幅狭の第２カード１６の側方を案内し、挿入された第２カード１６の所定の装着空間１ｂ方向への移動、及び所定の装着空間１ｂに装着された第２カード１６の排出方向への移動を円滑に行わせることができる。また、第１カード１５が挿入されたときには、ガイド部材２１による第１カード１５の移動に対する規制を除くことができる。また、ガイド部材２１は、ハウジング１の両側壁間に位置するカード挿抜経路上に配置されており、したがって、ハウジング１の幅方向に進退するような部材を設けることなく幅狭のカードである第２カード１６を案内できる。これによって装置の幅寸法を小さくすることができ、装置の小型化を実現させることができる。また、比較的大きな配置空間を形成し得るカード挿抜経路上にガイド部材２１を配置すればよいので、このガイド部材２１の組み込み作業を簡単に行なうことができる。
【００５８】
また、第２カード１６がハウジング１の挿入口１ａから挿入され、この第２カード１６の先端部がガイド部材２１の作動部２１ｂの偏倚面を形成するテーパ部２１ｂ１に係合した場合には、この偏倚面を形成するテーパ部２１ｂ１によって第２カード１６が作動部２１ｂのガイド部２１ｂ２方向に案内され、第２カード１６は正規のカード挿抜経路内まで移動する。引き続いて行なわれる第２カード１６の挿入に伴って、この第２カード１６の側方が作動部２１ｂのガイド部２１ｂ２によって案内され、この第２カード１６をハウジング１の所定の装着空間１ｂ方向に円滑に案内することができる。
【図面の簡単な説明】
【００５９】
【図１】本発明に係るカード用コネクタ装置の一実施形態においてカバー部材を取り除いた状態を示す図で、（ａ）図は平面図、（ｂ）図は（ａ）図のＡ−Ａ断面図、（ｃ）図は（ａ）図のＢ−Ｂ断面図である。
【図２】本実施形態に備えられる第１カム板を示す図で、（ａ）図は平面図、（ｂ）図は正面図、（ｃ）図は左側面図、（ｄ）図は右側面図、（ｅ）図は背面図である。
【図３】本実施形態に備えられるガイド部材を示す図で、（ａ）図は平面図、（ｂ）図は正面図、（ｃ）図は左側面図、（ｄ）図は右側面図、（ｅ）図は背面図である。
【図４】本実施形態の動作を示す説明図であり、第１カードが本実施形態に挿入される直前の状態を示す平面図である。
【図５】本実施形態の動作を示す説明図であり、第１カードがスライド部材に装着された状態を示す平面図である。
【図６】本実施形態の動作を示す説明図であり、第１カードがハウジングの所定の装着空間に装着された状態を示し、（ａ）図は平面図、（ｂ）図は（ａ）図のＣ−Ｃ断面図である。
【図７】本実施形態の動作を示す説明図であり、第２カードが本実施形態に挿入される直前の状態を示す平面図である。
【図８】本実施形態の動作を説明する図であり、第２カードがスライド部材に装着された状態を示し、（ａ）図は平面図、（ｂ）図は（ａ）図のＤ−Ｄ断面図、（ｃ）図は（ａ）図のＥ−Ｅ断面図である。
【図９】本実施形態の動作を説明する図であり、第２カードがハウジングの所定の装着空間に装着された状態を示し、（ａ）図は平面図、（ｂ）図は（ａ）図のＦ−Ｆ断面図、（ｃ）図は（ａ）図のＧ−Ｇ断面図である。
【符号の説明】
【００６０】
１    ハウジング
１ａ  挿入口
１ｂ  所定の装着空間
２    第１コンタクト端子
２ａ  凸部
３    第２コンタクト端子
３ａ  凸部
４    スライド部材
４ａ  第１係合部
４ｂ  第２係合部
５    付勢部材
６    ハートカム
６ａ  往路
６ｂ  復路
６ｃ  ロック部
７    摺動部材
７ａ  一端
７ｂ  他端
８    第１板ばね
８ａ  凸部
９    第２板ばね
９ａ  凸部
１０    第１カム板（規制手段）
１０ａ  板部
１０ａ１  空隙部
１０ａ２  櫛歯状部
１０ｂ  軸部
１１    第２カム板
１１ａ  窓部
１５    第１カード
１５ａ  凹部
１５ｂ  凹部
１５ｃ  接触部
１６    第２カード
１６ａ  凹部
１６ｂ  接触部
２１    ガイド部材
２１ａ  軸部
２１ｂ  作動部
２１ｂ１  テーパ部
２１ｂ２  ガイド部
３０    仮想面
３１    面
【図１】
2008262739.tif 000003
【図２】
2008262739.tif 000004
【図３】
2008262739.tif 000005
【図４】
2008262739.tif 000006
【図５】
2008262739.tif 000007
【図６】
2008262739.tif 000008
【図７】
2008262739.tif 000009
【図８】
2008262739.tif 000010
【図９】
2008262739.tif 000011